(57)【要約】【課題】放送局からの地上波デジタル放送の１セグメント放送に含まれるＢＭＬコンテンツに対応する情報を放送内容に対応させながら、１セグメント放送受信機能を有しない端末装置に提供すること。【解決手段】Ｗｅｂブラウザ機能を有する携帯端末３０からの要求に応じて、放送局１０から送出される地上波デジタル放送の１セグメント放送に含まれるＢＭＬコンテンツに応じたＨＴＭＬコンテンツを配信するコンテンツ提供システム１であって、１セグメント放送に含まれるＢＭＬコンテンツが更新されるタイミングに基づいて当該ＢＭＬコンテンツをＨＴＭＬコンテンツに変換するコンテンツ変換部２１と、当該変換後のＨＴＭＬコンテンツを蓄積するＨＴＭＬＤＢ２２と、携帯端末３０からの要求に応じて変換後のＨＴＭＬコンテンツを配信するＷｅｂサーバ部２３とを具備することを特徴とする。【選択図】図１
2009199459.tif 000002
【特許請求の範囲】
【請求項１】
Ｗｅｂブラウザ機能を有する端末装置からの要求に応じて、放送局から送出される地上波デジタル放送の１セグメント放送に含まれるＢＭＬコンテンツに応じたＨＴＭＬコンテンツを配信するコンテンツ提供システムであって、
前記１セグメント放送に含まれるＢＭＬコンテンツが更新されるタイミングに基づいて当該ＢＭＬコンテンツをＨＴＭＬコンテンツに変換する変換部と、当該変換後のＨＴＭＬコンテンツを蓄積する蓄積部と、前記端末装置からの要求に応じて前記変換後のＨＴＭＬコンテンツを配信するサーバ部とを具備することを特徴とするコンテンツ提供システム。
【請求項２】
前記変換部は、前記１セグメント放送に含まれるＢＭＬコンテンツが更新されるタイミングに先立って当該ＢＭＬコンテンツをＨＴＭＬコンテンツに変換することを特徴とする請求項１記載のコンテンツ提供システム。
【請求項３】
前記変換部は、前記放送局において更新対象とされるＢＭＬコンテンツと映像コンテンツとを多重化する多重化部に双方のコンテンツが出力された後に当該ＢＭＬコンテンツをＨＴＭＬコンテンツに変換することを特徴とする請求項１記載のコンテンツ提供システム。
【請求項４】
前記変換部、蓄積部及びサーバ部をサーバ装置に備え、前記変換部は、前記放送局から更新対象とされるＢＭＬコンテンツを受信した場合に当該ＢＭＬコンテンツをＨＴＭＬコンテンツに変換することを特徴とする請求項１から請求項３のいずれかに記載のコンテンツ提供システム。
【請求項５】
放送局から送出される地上波デジタル放送の１セグメント放送に含まれるＢＭＬコンテンツが更新されるタイミングに基づいて当該ＢＭＬコンテンツをＨＴＭＬコンテンツに変換する変換部と、当該変換後のＨＴＭＬコンテンツを蓄積する蓄積部と、Ｗｅｂブラウザ機能を有する端末装置からの要求に応じて前記変換後のＨＴＭＬコンテンツを配信するサーバ部とを具備することを特徴とするサーバ装置。
【請求項６】
前記変換部は、前記１セグメント放送に含まれるＢＭＬコンテンツが更新されるタイミングに先立って当該ＢＭＬコンテンツをＨＴＭＬコンテンツに変換することを特徴とする請求項５記載のサーバ装置。
【請求項７】
前記変換部は、前記放送局において更新対象とされるＢＭＬコンテンツと映像コンテンツとを多重化する多重化部に双方のコンテンツが出力された後に当該ＢＭＬコンテンツをＨＴＭＬコンテンツに変換することを特徴とする請求項５記載のサーバ装置。
【請求項８】
前記変換部は、前記放送局から更新対象とされるＢＭＬコンテンツを受信した場合に当該ＢＭＬコンテンツをＨＴＭＬコンテンツに変換することを特徴とする請求項５から請求項７のいずれかに記載のサーバ装置。
【請求項９】
Ｗｅｂブラウザ機能を有する端末装置からの要求に応じて、放送局から送出される地上波デジタル放送の１セグメント放送に含まれるＢＭＬコンテンツに応じたＨＴＭＬコンテンツを配信するコンテンツ提供方法であって、
前記１セグメント放送に含まれるＢＭＬコンテンツが更新されるタイミングに基づいて当該ＢＭＬコンテンツをＨＴＭＬコンテンツに変換する変換ステップと、当該変換後のＨＴＭＬコンテンツを蓄積する蓄積ステップと、前記端末装置からの要求に応じて前記変換後のＨＴＭＬコンテンツを配信する配信ステップとを具備することを特徴とするコンテンツ提供方法。
【請求項１０】
前記１セグメント放送に含まれるＢＭＬコンテンツが更新されるタイミングに先立って当該ＢＭＬコンテンツをＨＴＭＬコンテンツに変換することを特徴とする請求項９記載のコンテンツ提供方法。
【請求項１１】
前記放送局において更新対象とされるＢＭＬコンテンツと映像コンテンツとを多重化する多重化部に双方のコンテンツが出力された後に当該ＢＭＬコンテンツをＨＴＭＬコンテンツに変換することを特徴とする請求項９記載のコンテンツ提供方法。
【請求項１２】
前記変換ステップ、蓄積ステップ及び配信ステップをサーバ装置で行い、前記放送局から更新対象とされるＢＭＬコンテンツを受信した場合に当該ＢＭＬコンテンツをＨＴＭＬコンテンツに変換することを特徴とする請求項９から請求項１１のいずれかに記載のコンテンツ提供方法。
【発明の詳細な説明】
【技術分野】
【０００１】
本発明は、コンテンツ提供システム、サーバ装置及びコンテンツ提供方法に関し、特に、Ｗｅｂブラウザ機能を有する端末装置からの要求に応じて、放送局から送出される放送に含まれるＢＭＬコンテンツに応じたＨＴＭＬコンテンツを配信するコンテンツ提供システム、サーバ装置及びコンテンツ提供方法に関する。
【背景技術】
【０００２】
近年、インターネット上のコンテンツを閲覧する機能を有すると共に、地上デジタル放送のモバイル機器向け放送、所謂、１セグメント放送を受信する機能（以下、「１セグメント放送受信機能」という）を有する携帯端末装置が普及しつつある。なお、この１セグメント放送においては、映像コンテンツと共にデータ放送コンテンツを受信することが可能である。このデータ放送コンテンツは、ＢＭＬ（Broadcast Markup Language）というコンテンツ記述言語で製作されている。一方、インターネット上のコンテンツは、ＨＴＭＬ（HyperText Markup Language）というコンテンツ記述言語で製作されている。
【０００３】
従来、これらのようなＢＭＬで製作されたデータ放送コンテンツ（以下、「ＢＭＬコンテンツ」という）を、インターネットからのリクエストに応じてユーザに提供するための技術が提案されている（例えば、特許文献１参照）。特許文献１記載のファイル変換システムにおいては、ＢＳデジタル放送向けのＢＭＬコンテンツを、ＨＴＭＬで製作されたコンテンツ（以下、「ＨＴＭＬコンテンツ」という）に変換し、当該ＨＴＭＬコンテンツをユーザからのリクエストに応じて配信するものである。
【特許文献１】特開２００３−８５０３３号公報
【発明の開示】
【発明が解決しようとする課題】
【０００４】
ところで、上述した１セグメント放送においては、映像コンテンツと共にそれに関連するＢＭＬコンテンツが送出されている。このようなＢＭＬコンテンツは、それ自体に有用な情報を含んでいる場合が少なくない。このため、ＢＭＬコンテンツに含まれる情報を、１セグメント放送受信機能を有しない端末装置に提供することは、当該端末装置のユーザにとって非常に有用と考えられる。また、このようなＢＭＬコンテンツに含まれる情報を、１セグメント放送受信機能を有しない端末装置に提供する場合には、同一のコンテンツを別に製作する必要がなくなるため、その分のコストをＢＭＬコンテンツに投入することも可能である。
【０００５】
特に、現時点において、１セグメント放送における映像コンテンツは、地上デジタル放送における映像コンテンツと同一であるため、地上デジタル放送を受信可能なテレビ端末装置で視聴することが可能である。従って、１セグメント放送におけるＢＭＬコンテンツに含まれる情報を放送内容に対応させながら、１セグメント放送受信機能を有しない端末装置に提供することができれば、当該端末装置のユーザにおける利用性を向上することが可能となる。
【０００６】
本発明はかかる実情に鑑みてなされたものであり、放送局からの地上波デジタル放送の１セグメント放送に含まれるＢＭＬコンテンツに対応する情報を放送内容に対応させながら、１セグメント放送受信機能を有しない端末装置に提供することができるコンテンツ提供システム、サーバ装置及びコンテンツ提供方法を提供することを目的とする。
【課題を解決するための手段】
【０００７】
本発明のコンテンツ提供システムは、Ｗｅｂブラウザ機能を有する端末装置からの要求に応じて、放送局から送出される地上波デジタル放送の１セグメント放送に含まれるＢＭＬコンテンツに応じたＨＴＭＬコンテンツを配信するコンテンツ提供システムであって、前記１セグメント放送に含まれるＢＭＬコンテンツが更新されるタイミングに基づいて当該ＢＭＬコンテンツをＨＴＭＬコンテンツに変換する変換部と、当該変換後のＨＴＭＬコンテンツを蓄積する蓄積部と、前記端末装置からの要求に応じて前記変換後のＨＴＭＬコンテンツを配信するサーバ部とを具備することを特徴とする。
【０００８】
上記構成によれば、１セグメント放送に含まれるＢＭＬコンテンツが更新されるタイミングに基づいて当該ＢＭＬコンテンツがＨＴＭＬコンテンツに変換されて蓄積され、Ｗｅｂブラウザ機能を有する端末装置からの要求に応じて変換後のＨＴＭＬコンテンツが配信されることから、ＢＭＬコンテンツの更新タイミングに基づいて更新後のＢＭＬコンテンツに対応するＨＴＭＬコンテンツを配信できるので、放送局からの地上波デジタル放送の１セグメント放送に含まれるＢＭＬコンテンツに対応する情報を放送内容に対応させながら、１セグメント放送受信機能を有しない端末装置に提供することが可能となる。
【０００９】
上記コンテンツ提供システムにおいて、前記変換部は、前記１セグメント放送に含まれるＢＭＬコンテンツが更新されるタイミングに先立って当該ＢＭＬコンテンツをＨＴＭＬコンテンツに変換することが好ましい。この場合には、放送局から１セグメント放送が送出される前に当該１セグメント放送に含まれるＢＭＬコンテンツに対応するＨＴＭＬコンテンツを準備できるので、１セグメント放送のＢＭＬコンテンツの更新タイミングと時間的なずれを発生させることなく、端末装置からの要求に応じて当該ＢＭＬコンテンツに対応する情報を提供することが可能となる。
【００１０】
なお、上記コンテンツ提供システムにおいて、前記変換部は、前記放送局において更新対象とされるＢＭＬコンテンツと映像コンテンツとを多重化する多重化部に双方のコンテンツが出力された後に当該ＢＭＬコンテンツをＨＴＭＬコンテンツに変換するようにしても良い。この場合には、放送局から放送される１セグメント放送に含まれるＢＭＬコンテンツに対応するＨＴＭＬコンテンツを確実に蓄積部に蓄積することができるので、１セグメント放送に含まれるＢＭＬコンテンツに対応するＨＴＭＬコンテンツを確実に端末装置に提供することが可能となる。
【００１１】
例えば、上記コンテンツ提供システムにおいては、前記変換部、蓄積部及びサーバ部をサーバ装置に備え、前記変換部は、前記放送局から更新対象とされるＢＭＬコンテンツを受信した場合に当該ＢＭＬコンテンツをＨＴＭＬコンテンツに変換することが考えられる。この場合には、放送局から１セグメント放送に含まれるＢＭＬコンテンツをサーバ装置に出力するだけで、当該ＢＭＬコンテンツに対応するＨＴＭＬコンテンツをサーバ装置から配信することができるので、既存の設備を最大限利用しつつ、放送局からの地上波デジタル放送の１セグメント放送に含まれるＢＭＬコンテンツに対応する情報を放送内容に対応させながら、１セグメント放送受信機能を有しない端末装置に提供することが可能となる。
【００１２】
本発明のサーバ装置は、放送局から送出される地上波デジタル放送の１セグメント放送に含まれるＢＭＬコンテンツが更新されるタイミングに基づいて当該ＢＭＬコンテンツをＨＴＭＬコンテンツに変換する変換部と、当該変換後のＨＴＭＬコンテンツを蓄積する蓄積部と、Ｗｅｂブラウザ機能を有する端末装置からの要求に応じて前記変換後のＨＴＭＬコンテンツを配信するサーバ部とを具備することを特徴とする。
【００１３】
上記構成によれば、１セグメント放送に含まれるＢＭＬコンテンツが更新されるタイミングに基づいて当該ＢＭＬコンテンツがＨＴＭＬコンテンツに変換されて蓄積され、Ｗｅｂブラウザ機能を有する端末装置からの要求に応じて変換後のＨＴＭＬコンテンツが配信されることから、ＢＭＬコンテンツの更新タイミングに基づいて更新後のＢＭＬコンテンツに対応するＨＴＭＬコンテンツを配信できるので、放送局からの地上波デジタル放送の１セグメント放送に含まれるＢＭＬコンテンツに対応する情報を放送内容に対応させながら、１セグメント放送受信機能を有しない端末装置に提供することが可能となる。
【００１４】
上記サーバ装置において、前記変換部は、前記１セグメント放送に含まれるＢＭＬコンテンツが更新されるタイミングに先立って当該ＢＭＬコンテンツをＨＴＭＬコンテンツに変換することが好ましい。この場合には、放送局から１セグメント放送が送出される前に当該１セグメント放送に含まれるＢＭＬコンテンツに対応するＨＴＭＬコンテンツを準備できるので、１セグメント放送のＢＭＬコンテンツの更新タイミングと時間的なずれを発生させることなく、端末装置からの要求に応じて当該ＢＭＬコンテンツに対応する情報を提供することが可能となる。
【００１５】
なお、上記サーバ装置において、前記変換部は、前記放送局において更新対象とされるＢＭＬコンテンツと映像コンテンツとを多重化する多重化部に双方のコンテンツが出力された後に当該ＢＭＬコンテンツをＨＴＭＬコンテンツに変換するようにしても良い。この場合には、放送局から放送される１セグメント放送に含まれるＢＭＬコンテンツに対応するＨＴＭＬコンテンツを確実に蓄積部に蓄積することができるので、１セグメント放送に含まれるＢＭＬコンテンツに対応するＨＴＭＬコンテンツを確実に端末装置に提供することが可能となる。
【００１６】
例えば、上記サーバ装置において、前記変換部は、前記放送局から更新対象とされるＢＭＬコンテンツを受信した場合に当該ＢＭＬコンテンツをＨＴＭＬコンテンツに変換することが考えられる。この場合には、放送局から１セグメント放送に含まれるＢＭＬコンテンツをサーバ装置に出力するだけで、当該ＢＭＬコンテンツに対応するＨＴＭＬコンテンツがサーバ部から配信することができるので、既存の設備を最大限利用しつつ、放送局からの地上波デジタル放送の１セグメント放送に含まれるＢＭＬコンテンツに対応する情報を放送内容に対応させながら、１セグメント放送受信機能を有しない端末装置に提供することが可能となる。
【００１７】
本発明のコンテンツ提供方法は、Ｗｅｂブラウザ機能を有する端末装置からの要求に応じて、放送局から送出される地上波デジタル放送の１セグメント放送に含まれるＢＭＬコンテンツに応じたＨＴＭＬコンテンツを配信するコンテンツ提供方法であって、前記１セグメント放送に含まれるＢＭＬコンテンツが更新されるタイミングに基づいて当該ＢＭＬコンテンツをＨＴＭＬコンテンツに変換する変換ステップと、当該変換後のＨＴＭＬコンテンツを蓄積する蓄積ステップと、前記端末装置からの要求に応じて前記変換後のＨＴＭＬコンテンツを配信する配信ステップとを具備することを特徴とする。
【００１８】
上記方法によれば、１セグメント放送に含まれるＢＭＬコンテンツが更新されるタイミングに基づいて当該ＢＭＬコンテンツがＨＴＭＬコンテンツに変換されて蓄積され、Ｗｅｂブラウザ機能を有する端末装置からの要求に応じて変換後のＨＴＭＬコンテンツが配信されることから、ＢＭＬコンテンツの更新タイミングに基づいて更新後のＢＭＬコンテンツに対応するＨＴＭＬコンテンツを配信できるので、放送局からの地上波デジタル放送の１セグメント放送に含まれるＢＭＬコンテンツに対応する情報を放送内容に対応させながら、１セグメント放送受信機能を有しない端末装置に提供することが可能となる。
【００１９】
上記コンテンツ提供方法においては、前記１セグメント放送に含まれるＢＭＬコンテンツが更新されるタイミングに先立って当該ＢＭＬコンテンツをＨＴＭＬコンテンツに変換することが好ましい。この場合には、放送局から１セグメント放送が送出される前に当該１セグメント放送に含まれるＢＭＬコンテンツに対応するＨＴＭＬコンテンツを準備できるので、１セグメント放送のＢＭＬコンテンツの更新タイミングと時間的なずれを発生させることなく、端末装置からの要求に応じて当該ＢＭＬコンテンツに対応する情報を提供することが可能となる。
【００２０】
なお、上記コンテンツ提供方法においては、前記放送局において更新対象とされるＢＭＬコンテンツと映像コンテンツとを多重化する多重化部に双方のコンテンツが出力された後に当該ＢＭＬコンテンツをＨＴＭＬコンテンツに変換するようにしても良い。この場合には、放送局から放送される１セグメント放送に含まれるＢＭＬコンテンツに対応するＨＴＭＬコンテンツを確実に蓄積部に蓄積することができるので、１セグメント放送に含まれるＢＭＬコンテンツに対応するＨＴＭＬコンテンツを確実に端末装置に提供することが可能となる。
【００２１】
例えば、上記コンテンツ提供方法においては、前記変換ステップ、蓄積ステップ及び配信ステップをサーバ装置で行い、前記放送局から更新対象とされるＢＭＬコンテンツを受信した場合に当該ＢＭＬコンテンツをＨＴＭＬコンテンツに変換することが考えられる。この場合には、放送局から１セグメント放送に含まれるＢＭＬコンテンツをサーバ装置に出力するだけで、当該ＢＭＬコンテンツに対応するＨＴＭＬコンテンツがサーバ部から配信することができるので、既存の設備を最大限利用しつつ、放送局からの地上波デジタル放送の１セグメント放送に含まれるＢＭＬコンテンツに対応する情報を放送内容に対応させながら、１セグメント放送受信機能を有しない端末装置に提供することが可能となる。
【発明の効果】
【００２２】
本発明によれば、１セグメント放送に含まれるＢＭＬコンテンツが更新されるタイミングに基づいて当該ＢＭＬコンテンツがＨＴＭＬコンテンツに変換されて蓄積され、Ｗｅｂブラウザ機能を有する端末装置からの要求に応じて変換後のＨＴＭＬコンテンツが配信されることから、ＢＭＬコンテンツの更新タイミングに基づいて更新後のＢＭＬコンテンツに対応するＨＴＭＬコンテンツを配信できるので、放送局からの地上波デジタル放送の１セグメント放送に含まれるＢＭＬコンテンツに対応する情報を放送内容に対応させながら、１セグメント放送受信機能を有しない端末装置に提供することが可能となる。
【発明を実施するための最良の形態】
【００２３】
以下、本発明の実施の形態について添付図面を参照して詳細に説明する。本実施の形態に係るコンテンツ提供システムは、放送局から送出される地上波デジタル放送の１セグメント放送に含まれる、ＢＭＬで製作されたデータ放送コンテンツ（以下、「ＢＭＬコンテンツ」という）に応じたＨＴＭＬコンテンツを、Ｗｅｂブラウザ機能を有する端末装置からの要求に応じて配信するものである。なお、以下においては、本発明をコンテンツ提供システムに具現化した場合について説明するが、コンテンツ提供方法及びサーバ装置の発明としても成立するものである。
【００２４】
（実施の形態１）
図１は、本発明の実施の形態１に係るコンテンツ提供システム１の構成を説明するための図である。なお、図１に示すコンテンツ提供システム１の構成装置（放送局１０、Ｗｅｂサーバ装置２０及び携帯端末装置３０）は、本発明を説明するために簡略化したものであり、通常に放送局、Ｗｅｂサーバ装置及び携帯電話装置に備えられる機能を有するものとする。
【００２５】
図１に示すように、本実施の形態に係るコンテンツ提供システム１は、地上波デジタル放送を送出する放送局１０と、地上波デジタル放送の１セグメント放送に含まれるＢＭＬコンテンツをＨＴＭＬコンテンツに変換すると共に、外部からの要求に応じて変換後のＨＴＭＬコンテンツを配信するＷｅｂサーバ装置（以下、「サーバ」という）２０と、サーバ２０から配信されるＨＴＭＬコンテンツを閲覧可能な端末装置としての携帯端末装置（以下、「携帯端末」という）３０とを含んで構成される。
【００２６】
放送局１０は、１セグメント放送に含まれる映像コンテンツを蓄積する映像コンテンツデータベース（以下、「映像ＤＢ」という）１１と、１セグメント放送に含まれるＢＭＬコンテンツを蓄積するＢＭＬコンテンツデータベース（以下、「ＢＭＬＤＢ」という）１２と、これらの映像ＤＢ１１及びＢＭＬＤＢ１２から映像コンテンツ及びＢＭＬコンテンツを取得し、多重化部１４に出力するコンテンツ制御部１３と、コンテンツ制御部１３から出力された映像コンテンツ及びＢＭＬコンテンツを多重化して放送波に乗せて送出する多重化部１４とを備えている。
【００２７】
コンテンツ制御部１３は、予め設定された、１セグメント放送に含まれるＢＭＬコンテンツの更新タイミングに応じてＢＭＬＤＢ１２から更新対象とされるＢＭＬコンテンツを取得し、予め或いは当該ＢＭＬコンテンツと同時に取得した映像コンテンツと一緒に多重化部１４に対して出力する。また、ＢＭＬコンテンツ及び映像コンテンツを多重化部１４に出力した後、コンテンツ制御部１３は、後述するサーバ２０のコンテンツ変換部２１に対して更新対象とされるＢＭＬコンテンツを出力する。
【００２８】
多重化部１４から送出された放送波は、電波塔４０を介して、携帯端末５０で受信可能となっている。この携帯端末５０は、既知の携帯端末で構成され、１セグメント放送受信機能を実現する放送受信部５１と、使用者の操作を受け付ける操作部５２と、１セグメント放送における映像コンテンツ及びＢＭＬコンテンツを表示可能な表示部５３とを備えている。携帯端末５０においては、操作部５２を介した使用者の操作入力に応じて、放送局１０から送出された１セグメント放送を放送受信部５１で受信し、例えば、表示部５３に図５（ａ）、図５（ｂ）に示す映像コンテンツ及びＢＭＬコンテンツを表示する。
【００２９】
サーバ２０は、放送局１０のコンテンツ制御部１３から受信した更新対象とされるＢＭＬコンテンツをＨＴＭＬコンテンツに変換するコンテンツ変換部２１と、このコンテンツ変換部２１により変換されたＨＴＭＬコンテンツを蓄積するＨＴＭＬコンテンツデータベース（以下、「ＨＴＭＬＤＢ」という）２２と、Ｗｅｂブラウザ機能を有する外部端末（図１においては、携帯端末３０）からの要求に応じてＨＴＭＬＤＢ２２に格納されたＨＴＭＬコンテンツを配信するＷｅｂサーバ部２３とを備えている。
【００３０】
コンテンツ変換部２１におけるＢＭＬコンテンツをＨＴＭＬコンテンツに変換する手法については、特に限定されるものではない。例えば、ＢＭＬコンテンツのスタイルシートを読み込んで、当該スタイルシート中におけるカスケーディングスタイルシート、スクリプト及びｂｏｄｙタグの記載部分を抽出する。そして、これらのカスケーディングスタイルシート及びスクリプトを解析し、ＨＴＭＬ形式で呼び出し可能なスタイル属性、スクリプト、タグに変換する。そして、これらのスタイル属性、スクリプト及びタグに基づいてＨＴＭＬコンテンツを生成することが考えられる。
【００３１】
なお、ＨＴＭＬＤＢ２２には、ＢＭＬコンテンツから変換されたＨＴＭＬコンテンツのほか、放送局１０が提供する放送番組を含む各種のＷｅｂページを表示するためのＨＴＭＬコンテンツも蓄積されている。Ｗｅｂサーバ部２３は、携帯端末３０等から要求される内容に応じてこれらのＨＴＭＬコンテンツの中から該当するＨＴＭＬコンテンツを検索し、携帯端末３０等に配信するものである。
【００３２】
Ｗｅｂサーバ部２３から送出されたＨＴＭＬコンテンツは、例えば、携帯電話網及びインターネットを含む通信ネットワーク６０を介して携帯端末３０に送出される。この携帯端末３０は、既知の携帯端末で構成され、Ｗｅｂブラウザ機能を実現するＷｅｂブラウザ部３１と、使用者の操作を受け付ける操作部３２と、Ｗｅｂブラウザ部３１でサーバ２０から受信したＨＴＭＬコンテンツを表示する表示部３３とを備えている。なお、携帯端末３０は、上述した携帯端末５０と異なり、１セグメント放送受信機能を有していない。詳細について後述するように、携帯端末３０においては、操作部３２を介した使用者の操作入力に応じて、Ｗｅｂサーバ２０から送出されたＨＴＭＬコンテンツを取得し、例えば、表示部３３に図５（ｃ）、図５（ｄ）に示すＨＴＭＬコンテンツを表示する。
【００３３】
このような構成を有し、本実施の形態に係るコンテンツ提供システム１は、放送局１０から送出された１セグメント放送に含まれるＢＭＬコンテンツに対応するＨＴＭＬコンテンツを、当該１セグメント放送に含まれる映像コンテンツに対応させた状態でＨＴＭＬＤＢ２２に格納するものである。これにより、例えば、テレビ端末装置等に表示された当該映像コンテンツに対応させながら、携帯端末３０からの要求に応じてＢＭＬコンテンツに対応するＨＴＭＬコンテンツを提供することが可能となる。
【００３４】
以下、実施の形態１に係るコンテンツ提供システム１において、１セグメント放送に含まれるＢＭＬコンテンツに対応するＨＴＭＬコンテンツをＨＴＭＬＤＢ２２に格納するための動作について説明する。図２は、実施の形態１に係るコンテンツ提供システム１において、１セグメント放送に含まれるＢＭＬコンテンツに対応するＨＴＭＬコンテンツをＨＴＭＬＤＢ２２に格納するための動作を説明するためのシーケンス図である。
【００３５】
実施の形態１に係るコンテンツ提供システム１においては、コンテンツ制御部１３が１セグメント放送に含まれるＢＭＬコンテンツの更新タイミングを監視しており、更新タイミングとなると、図２に示すように、コンテンツ制御部１３から映像ＤＢ１１に映像コンテンツの取得要求が出力される（ステップ（以下、「ＳＴ」という）２０１）。この映像コンテンツの取得要求を受け取ると、映像ＤＢ１１において、該当する映像コンテンツが検索され、コンテンツ制御部１３に出力される（ＳＴ２０２）。
【００３６】
また、コンテンツ制御部１３において、ＢＭＬＤＢ１２にＢＭＬコンテンツの取得要求が出力される（ＳＴ２０３）。このＢＭＬコンテンツの取得要求を受け取ると、ＢＭＬＤＢ１２において、該当するＢＭＬコンテンツが検索され、コンテンツ制御部１３に出力される（ＳＴ２０４）。なお、ここでは、コンテンツ制御部１３において、映像コンテンツを取得した後にＢＭＬコンテンツを取得する場合について示しているが、これらの順序が反対になっても構わない。
【００３７】
取得された映像コンテンツ及びＢＭＬコンテンツは、コンテンツ制御部１３から多重化部１４に出力される（ＳＴ２０５）。そして、映像コンテンツ及びＢＭＬコンテンツが出力された後、同一のＢＭＬコンテンツがコンテンツ制御部１３からコンテンツ変換部２１に出力される（ＳＴ２０６）。
【００３８】
映像コンテンツ及びＢＭＬコンテンツを受信すると、多重化部１４において、これらのコンテンツの多重化が行われ（ＳＴ２０７）、当該多重化後のコンテンツが放送波に乗せて送出される（ＳＴ２０８）。一方、ＢＭＬコンテンツを受信すると、コンテンツ変換部２１において、当該ＢＭＬコンテンツのＨＴＭＬコンテンツへの変換が行われ（ＳＴ２０９）、変換後のＨＴＭＬコンテンツがＨＴＭＬＤＢ２２に出力される（ＳＴ２１０）。そして、この変換後のＨＴＭＬコンテンツがＨＴＭＬＤＢ２２に格納される（ＳＴ２１１）。
【００３９】
このような一連の動作により、１セグメント放送に含まれるＢＭＬコンテンツに対応するＨＴＭＬコンテンツがＨＴＭＬＤＢ２２に格納されることとなる。特に、ＢＭＬコンテンツの更新タイミングに、当該ＢＭＬコンテンツに対応するＨＴＭＬコンテンツが格納されることから、１セグメント放送に含まれるＢＭＬコンテンツの更新と時間的なずれを殆ど発生させることなく、当該ＢＭＬコンテンツに対応するＨＴＭＬコンテンツをＨＴＭＬＤＢ２２に格納することができる。
【００４０】
ここで、図２に示すシーケンスに従って処理を行う場合における放送局１０及びサーバ２０の動作について説明する。図３は、図２に示すシーケンスに従って処理を行う場合の放送局１０の動作について説明するためのフロー図である。図４は、図２に示すシーケンスに従って処理を行う場合におけるサーバ２０の動作について説明するためのフロー図である。
【００４１】
図３に示すように、放送局１０において、コンテンツ制御部１３は、１セグメント放送に含まれるＢＭＬコンテンツの更新タイミングを監視している（ＳＴ３０１）。ＢＭＬコンテンツの更新タイミングと判定した場合には、映像ＤＢ１１から映像コンテンツを取得し（ＳＴ３０２）、ＢＭＬＤＢ１２からＢＭＬコンテンツを取得する（ＳＴ３０３）。なお、ＢＭＬコンテンツの更新タイミングになるまではこの監視動作を継続する。
【００４２】
ＢＭＬコンテンツを取得したならば、コンテンツ制御部１３は、映像コンテンツ及びＢＭＬコンテンツを多重化部１４に出力する（ＳＴ３０４）。その後、同一のＢＭＬコンテンツをコンテンツ変換部２１に出力する（ＳＴ３０５）。映像コンテンツ及びＢＭＬコンテンツを受信したならば、多重化部１４は、これらのコンテンツを多重化する（ＳＴ３０６）。そして、多重化後のコンテンツを放送波に乗せて送出する（ＳＴ３０７）。
【００４３】
このように１セグメント放送を送出した後、コンテンツ制御部１３は、放送が終了したかを判定する（ＳＴ３０８）。例えば、コンテンツ制御部１３は、放送開始からの経過時間を判定することにより、放送の終了を判定する。放送が終了していない場合には、コンテンツ制御部１３は、処理をＳＴ３０１に戻し、再びＳＴ３０８までの処理を行う。一方、放送が終了した場合には、放送局１０における１セグメント放送に含まれるＢＭＬコンテンツに対応するＨＴＭＬコンテンツをＨＴＭＬＤＢ２２に格納する際の動作を終了する。
【００４４】
一方、サーバ２０において、コンテンツ変換部２１は、図４に示すように、放送局１０からＢＭＬコンテンツを受信するか監視している（ＳＴ４０１）。ＢＭＬコンテンツを受信した場合には、当該ＢＭＬコンテンツを、例えば、上述した手法によりＨＴＭＬコンテンツに変換する（ＳＴ４０２）。そして、この変換後のＨＴＭＬコンテンツをＨＴＭＬＤＢ２２に格納する（ＳＴ４０３）。このようにして、１セグメント放送に含まれるＢＭＬコンテンツに対応するＨＴＭＬコンテンツをＨＴＭＬＤＢ２２に格納する際のサーバ２０の動作を終了する。
【００４５】
なお、このようにＢＭＬコンテンツから変換され、ＨＴＭＬＤＢ２２に格納されたＨＴＭＬコンテンツは、例えば、放送局１０が提供する該当する放送番組のＷｅｂページに対応づけて保存される。そして、携帯端末３０から当該放送番組のＷｅｂページへのアクセス要求を受けると、当該放送番組のＷｅｂページに対応するＨＴＭＬコンテンツと共に携帯端末３０に配信される。
【００４６】
ここで、本実施の形態に係るコンテンツ提供システム１において送出される映像コンテンツ及びＢＭＬコンテンツの具体例、並びに、当該ＢＭＬコンテンツから変換されたＨＴＭＬコンテンツの具体例について説明する。図５は、実施の形態１に係るコンテンツ提供システム１において、放送局から送出される映像コンテンツ及びＢＭＬコンテンツ、並びに、当該ＢＭＬコンテンツから変換されたＨＴＭＬコンテンツの具体例について説明するための図である。
【００４７】
図５（ａ）、（ｂ）は、１セグメント放送受信機能を有する携帯端末５０の表示部５３に表示される映像コンテンツ及びＢＭＬコンテンツの一例を示し、同図（ｃ）、（ｄ）は、Ｗｅｂブラウザ機能のみを有する携帯端末３０の表示部３３に表示されるＨＴＭＬコンテンツの一例を示している。なお、ここでは、放送局「○○テレビ」から１セグメント放送により放送された放送番組「△△△クイズ」を一例として用いて説明するものとする。
【００４８】
図５（ａ）、（ｂ）に示すように、携帯端末５０の表示部５３においては、上方側の領域に映像コンテンツ５３０が表示され、下方側の領域にＢＭＬコンテンツ５３１が表示されている。なお、図５（ａ）は、第１問目のクイズの開始前における映像コンテンツ及びＢＭＬコンテンツを示し、図５（ｂ）は、第２問目のクイズの開始前における映像コンテンツ及びＢＭＬコンテンツを示している。
【００４９】
図５（ａ）に示すＢＭＬコンテンツを表示するための更新タイミングにおいて、当該ＢＭＬコンテンツは、コンテンツ制御部１３からコンテンツ変換部２１に出力され、ＨＴＭＬコンテンツに変換され、ＨＴＭＬＤＢ２２に格納されている。図５（ａ）に示すＢＭＬコンテンツに対応するＨＴＭＬコンテンツが格納された状態において、携帯端末３０からＷｅｂサーバ２３に対して放送番組「△△△クイズ」のＷｅｂページへのアクセス要求が行われると、放送番組「△△△クイズ」のＷｅｂページに対応するＨＴＭＬコンテンツと共に、１セグメント放送に含まれるＢＭＬコンテンツから変換されたＨＴＭＬコンテンツが応答される。これにより、携帯端末３０の表示部３３には、例えば、図５（ｃ）に示すようなＨＴＭＬコンテンツが表示される。
【００５０】
図５（ｃ）に示すように、携帯端末３０の表示部３３においては、上方側の領域に該当する放送番組「△△△クイズ」のＷｅｂページに対応するＨＴＭＬコンテンツ３３０が表示され、下方側の領域に１セグメント放送に含まれるＢＭＬコンテンツから変換されたＨＴＭＬコンテンツ３３１が表示されている。このように、図５（ａ）に示すＢＭＬコンテンツから変換されたＨＴＭＬコンテンツが表示されることから、携帯端末３０の使用者は、１セグメント放送受信機能を有しない携帯端末３０においても、１セグメント放送に含まれるＢＭＬコンテンツと同一の情報を確認することができる。
【００５１】
同様に、図５（ｂ）に示すＢＭＬコンテンツを表示するための更新タイミングにおいて、当該ＢＭＬコンテンツは、コンテンツ制御部１３からコンテンツ変換部２１に出力され、ＨＴＭＬコンテンツに変換され、ＨＴＭＬＤＢ２２に格納されている。図５（ｂ）に示すＢＭＬコンテンツに対応するＨＴＭＬコンテンツが格納された状態において、携帯端末３０からＷｅｂサーバ２３に対して放送番組「△△△クイズ」のＷｅｂページへのアクセス要求が行われると、放送番組「△△△クイズ」のＷｅｂページに対応するＨＴＭＬコンテンツと共に、１セグメント放送に含まれるＢＭＬコンテンツから変換されたＨＴＭＬコンテンツが応答される。これにより、携帯端末３０の表示部３３には、例えば、図５（ｄ）に示すようなＨＴＭＬコンテンツが表示される。
【００５２】
このように本実施の形態に係るコンテンツ提供システム１においては、図５（ｂ）に示すＢＭＬコンテンツの更新タイミングに応じてＨＴＭＬＤＢ２２に格納されるＨＴＭＬコンテンツも更新される。従って、携帯端末３０からのアクセス要求を受けることを前提として、携帯端末３０の表示部３３には、１セグメント放送に含まれるＢＭＬコンテンツと実質的に時間差なく、当該ＢＭＬコンテンツと同一の情報を含むＨＴＭＬコンテンツが表示可能となる。このため、携帯端末３０の使用者は、１セグメント放送受信機能を有しない携帯端末３０を用いて、地上波デジタル放送の放送内容に対応させながら、ＢＭＬコンテンツと同一の情報を確認することができる。
【００５３】
このように実施の形態１に係るコンテンツ提供システム１によれば、１セグメント放送に含まれるＢＭＬコンテンツが更新されるタイミングに基づいて当該ＢＭＬコンテンツがコンテンツ変換部２１によりＨＴＭＬコンテンツに変換され、ＨＴＭＬＤＢ２２に蓄積される。そして、Ｗｅｂブラウザ機能を有する携帯端末３０からの要求に応じて変換後のＨＴＭＬコンテンツが配信されることから、ＢＭＬコンテンツの更新タイミングに基づいて更新後のＢＭＬコンテンツに対応するＨＴＭＬコンテンツを配信できるので、放送局１０からの地上波デジタル放送の１セグメント放送に含まれるＢＭＬコンテンツに対応する情報を放送内容に対応させながら、１セグメント放送受信機能を有しない携帯端末３０に提供することが可能となる。
【００５４】
特に、実施の形態１に係るコンテンツ提供システム１においては、コンテンツ変換部２１が、放送局１０において更新対象とされるＢＭＬコンテンツと映像コンテンツとが多重化部１４に出力された後に同一のＢＭＬコンテンツをＨＴＭＬコンテンツに変換している。これにより、放送局１０から放送される１セグメント放送に含まれるＢＭＬコンテンツに対応するＨＴＭＬコンテンツを確実にＨＴＭＬＤＢ２２に蓄積することができるので、１セグメント放送に含まれるＢＭＬコンテンツに対応するＨＴＭＬコンテンツを確実に携帯端末３０に提供することが可能となる。
【００５５】
なお、コンテンツ変換部２１に、１セグメント放送に含まれるＢＭＬコンテンツが更新されるタイミングに先立って当該ＢＭＬコンテンツをＨＴＭＬコンテンツに変換させることは実施の形態として好ましい。この場合には、放送局１０から１セグメント放送が送出される前に当該１セグメント放送に含まれるＢＭＬコンテンツに対応するＨＴＭＬコンテンツをＨＴＭＬＤＢ２２に準備することができるので、１セグメント放送のＢＭＬコンテンツの更新タイミングと時間的なずれを発生させることなく、携帯端末３０からの要求に応じて当該ＢＭＬコンテンツに対応する情報を提供することが可能となる。
【００５６】
特に、実施の形態１に係るコンテンツ提供システム１においては、サーバ２０に、コンテンツ変換部２１、ＨＴＭＬＤＢ２２及びＷｅｂサーバ部２３を備え、コンテンツ変換部２１が、放送局１０から更新対象とされるＢＭＬコンテンツを受信した場合に当該ＢＭＬコンテンツをＨＴＭＬコンテンツに変換している。これにより、放送局１０から１セグメント放送に含まれるＢＭＬコンテンツをサーバ２０に出力するだけで、当該ＢＭＬコンテンツに対応するＨＴＭＬコンテンツをサーバ２０から配信することができるので、既存の設備を最大限利用しつつ、放送局１０からの地上波デジタル放送の１セグメント放送に含まれるＢＭＬコンテンツに対応する情報を放送内容に対応させながら、１セグメント放送受信機能を有しない携帯端末３０に提供することが可能となる。
【００５７】
（実施の形態２）
実施の形態２に係るコンテンツ提供システム２は、実施の形態１における放送局１０が実施の形態１におけるサーバ２０の機能を有する点で、実施の形態１に係るコンテンツ提供システム１と相違する。すなわち、実施の形態２に係るコンテンツ提供システム２においては、放送局７０がＷｅｂサーバ装置としての機能を有する点で、実施の形態１に係るコンテンツ提供システム１と相違する。
【００５８】
以下、実施の形態２に係るコンテンツ提供システム２の構成について、実施の形態１に係るコンテンツ提供システム１との相違点を中心に説明する。図６は、本発明の実施の形態２に係るコンテンツ提供システム２の構成を説明するための図である。なお、図６に示すコンテンツ提供システム２において、図１と同一の構成要素については、同一の符号を付与し、その説明を省略するものとする。
【００５９】
図６に示すように、実施の形態２に係るコンテンツ提供システム２においては、放送局７０が、映像ＤＢ１１、ＢＭＬＤＢ１２、コンテンツ制御部１３及び多重化部１４に加え、コンテンツ変換部７１、ＨＴＭＬＤＢ７２及びＷｅｂサーバ部７３を備える点で、実施の形態１における放送局１０と相違する。なお、実施の形態２における放送局７０で追加されるコンテンツ変換部７１、ＨＴＭＬＤＢ７２及びＷｅｂサーバ部７３の機能については、それぞれコンテンツ変換部２１、ＨＴＭＬＤＢ２２及びＷｅｂサーバ部２３と同一である。
【００６０】
以下、実施の形態２に係るコンテンツ提供システム２において、１セグメント放送に含まれるＢＭＬコンテンツに対応するＨＴＭＬコンテンツをＨＴＭＬＤＢ２２に格納するための動作について説明する。図７は、実施の形態２に係るコンテンツ提供システム１の放送局７０において、１セグメント放送に含まれるＢＭＬコンテンツに対応するＨＴＭＬコンテンツをＨＴＭＬＤＢ２２に格納するための動作を説明するためのフロー図である。なお、図７において、図３と同一の処理については、同一の符号を付与し、その説明を省略する。
【００６１】
図７に示すように、コンテンツ制御部１３により、１セグメント放送に含まれるＢＭＬコンテンツの更新タイミングを監視し、映像コンテンツ及びＢＭＬコンテンツを出力するまでの処理（ＳＴ３０１〜ＳＴ３０４）については、実施の形態２における放送局１０と同一である。そして、映像コンテンツ及びＢＭＬコンテンツを受信したならば、多重化部１４は、これらのコンテンツを多重化する（ＳＴ７０１）。そして、多重化後のコンテンツを放送波に乗せて送出する（ＳＴ７０２）。
【００６２】
このように１セグメント放送を送出した後、コンテンツ制御部１３は、ＳＴ３０４で出力したＢＭＬコンテンツと同一のＢＭＬコンテンツをコンテンツ変換部７１に出力する（ＳＴ７０３）。ＢＭＬコンテンツを受信すると、コンテンツ変換部７１は、当該ＢＭＬコンテンツを、例えば、上述した手法によりＨＴＭＬコンテンツに変換する（ＳＴ７０４）。そして、この変換後のＨＴＭＬコンテンツをＨＴＭＬＤＢ７２に格納する（ＳＴ７０５）。なお、ここでは、ＳＴ７０２で多重化部１４から放送を送出した後に、コンテンツ変換部７１でコンテンツ変換を行う場合について説明しているが、その順序については適宜変更が可能である。
【００６３】
このように変換後のＨＴＭＬコンテンツをＨＴＭＬＤＢ２２に格納した後、コンテンツ制御部１３は、放送が終了したかを判定する（ＳＴ７０６）。例えば、コンテンツ制御部１３は、放送開始から経過時間を判定することにより、放送の終了を判定する。放送が終了していない場合には、コンテンツ制御部１３は、処理をＳＴ３０１に戻す。一方、放送が終了した場合には、放送局７０における１セグメント放送に含まれるＢＭＬコンテンツに対応するＨＴＭＬコンテンツをＨＴＭＬＤＢ７２に格納する際の動作を終了する。
【００６４】
なお、実施の形態２に係るコンテンツ提供システム２においても、携帯端末３０の表示部３３及び携帯端末５０の表示部５３で表示されるコンテンツは、図５に示す各種コンテンツと同様である。このため、携帯端末３０の使用者は、実施の形態１に係るコンテンツ提供システム１と同様に、１セグメント放送受信機能を有しない携帯端末３０においても、１セグメント放送に含まれるＢＭＬコンテンツと同一の情報を確認することができる。
【００６５】
このように実施の形態２に係るコンテンツ提供システム２においても、１セグメント放送に含まれるＢＭＬコンテンツが更新されるタイミングに基づいて当該ＢＭＬコンテンツがコンテンツ変換部７１によりＨＴＭＬコンテンツに変換され、ＨＴＭＬＤＢ７２に蓄積される。そして、Ｗｅｂブラウザ機能を有する携帯端末３０からの要求に応じて変換後のＨＴＭＬコンテンツが配信されることから、ＢＭＬコンテンツの更新タイミングに基づいて更新後のＢＭＬコンテンツに対応するＨＴＭＬコンテンツを配信できるので、放送局１０からの地上波デジタル放送の１セグメント放送に含まれるＢＭＬコンテンツに対応する情報を放送内容に対応させながら、１セグメント放送受信機能を有しない携帯端末３０に提供することが可能となる。
【００６６】
なお、本発明は上記実施の形態に限定されず、種々変更して実施することが可能である。また、本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【００６７】
【図１】本発明の実施の形態１に係るコンテンツ提供システムの構成を説明するための図である。
【図２】実施の形態１に係るコンテンツ提供システムにおいて、１セグメント放送に含まれるＢＭＬコンテンツに対応するＨＴＭＬコンテンツをＨＴＭＬＤＢに格納するための動作を説明するためのシーケンス図である。
【図３】図２に示すシーケンスに従って処理を行う場合の放送局の動作について説明するためのフロー図である。
【図４】図２に示すシーケンスに従って処理を行う場合におけるサーバの動作について説明するためのフロー図である。
【図５】実施の形態１に係るコンテンツ提供システムにおいて、放送局から送出される映像コンテンツ及びＢＭＬコンテンツ、並びに、当該ＢＭＬコンテンツから変換されたＨＴＭＬコンテンツの具体例について説明するための図である。
【図６】本発明の実施の形態２に係るコンテンツ提供システムの構成を説明するための図である。
【図７】実施の形態２に係るコンテンツ提供システムの放送局において、１セグメント放送に含まれるＢＭＬコンテンツに対応するＨＴＭＬコンテンツをＨＴＭＬＤＢに格納するための動作を説明するためのフロー図である。
【符号の説明】
【００６８】
１、２  コンテンツ提供システム
１０、７０  放送局
１１  映像コンテンツデータベース（映像ＤＢ）
１２  ＢＭＬコンテンツデータベース（ＢＭＬＤＢ）
１３  コンテンツ制御部
１４  多重化部
２０  Ｗｅｂサーバ装置（サーバ）
２１、７１  コンテンツ変換部
２２、７２  ＨＴＭＬコンテンツデータベース（ＨＴＭＬＤＢ）
２３  Ｗｅｂサーバ部
３０  携帯端末装置
３１  Ｗｅｂブラウザ部
３２  操作部
３３  表示部
４０  電波塔
５０  携帯端末装置
５１  放送受信部
５２  操作部
５３  表示部
６０  通信ネットワーク
【図１】
2009199459.tif 000003
【図２】
2009199459.tif 000004
【図３】
2009199459.tif 000005
【図４】
2009199459.tif 000006
【図５】
2009199459.tif 000007
【図６】
2009199459.tif 000008
【図７】
2009199459.tif 000009